(57)【要約】  開示された実施形態は、コールドチェーン貯蔵のためのポータブルデバイスおよびコールドチェーン貯蔵のためのポータブルデバイスの製造方法を含む。例示的な実施形態において、コールドチェーン貯蔵のためのポータブルデバイスは内部に貯蔵領域を規定する容器を備える。上記容器は、内側シリンダーを備え、上記貯蔵領域は上記内部シリンダーに同軸的に内方に規定されている。上記内側シリンダーは、内部に配置された相変化物質を含み、上記相変化物質は上記貯蔵領域と熱的に接続されている。上記内側シリンダーは、内部に埋め込まれている気化コイルを含んでいる。上記気化コイルは、上記相変化物質に埋め込まれている。上記容器は、断熱された外側シリンダーもまた備えている。上記外側シリンダーの外壁は、上記内側シリンダーの外壁に半径方向外側に配置されている。
2019516944.tif 000002
【特許請求の範囲】
【請求項１】
コールドチェーン貯蔵のためのポータブルデバイスであって、
内部に貯蔵領域を規定している容器を備え、
上記容器は、内側シリンダー、該内側シリンダーと同軸上の内方に規定された貯蔵領域、および、断熱された外側シリンダーを含み、
上記内側シリンダーは、
内部に配置された相変化物質であって、上記貯蔵領域と熱的に接続されている相変化物質、および、
内部に配置された気化コイルであって、上記相変化物質に埋め込まれている気化コイルを含み、
上記外側シリンダーの外壁は上記内側シリンダーの外壁の半径方向外側に配置されているポータブルデバイス。
【請求項２】
上記内側シリンダーおよび上記外側シリンダーは、アニュラスを形成する、請求項１に記載のデバイス。
【請求項３】
上記内側シリンダーは、上記外側シリンダー内に固定されて配置されている、請求項１に記載のデバイス。
【請求項４】
上記外側シリンダーは、上記内側シリンダーから取外し可能に配置可能である、請求項１に記載のデバイス。
【請求項５】
上記外側シリンダーは、真空断熱によって断熱されている、請求項１に記載のデバイス。
【請求項６】
上記気化コイルと流体連通可能なコンプレッサーと、上記コンプレッサーと電気的に接続可能な蓄電池と、をさらに備える、請求項１に記載のデバイス。
【請求項７】
上記相変化物質は、上記貯蔵領域の温度を２４時間の間０℃から１０℃の間の範囲に維持するように選択される、請求項１に記載のデバイス。
【請求項８】
コールドチェーン貯蔵のためのポータブルデバイスであって、
内部に貯蔵領域を規定している容器を備え、
上記容器は、内側シリンダー、該内側シリンダーと同軸上の内方に規定された貯蔵領域、および、断熱された外側シリンダーを含み、
上記内側シリンダーは、
内部に配置された相変化物質であって、上記貯蔵領域と熱的に接続されている相変化物質、および、
内部に配置された気化コイルであって、上記相変化物質に埋め込まれている気化コイルを含み、
上記外側シリンダーの外壁は上記内側シリンダーの外壁の半径方向外側に配置されており、
上記内側シリンダーは上記外側シリンダー内に固定されて配置され、上記内側シリンダーおよび上記外側シリンダーはアニュラスを形成している、ポータブルデバイス。
【請求項９】
上記内側シリンダーは、上記外側シリンダーの内壁と外壁との間に規定されている、請求項８に記載のデバイス。
【請求項１０】
上記気化コイルは、内部に配置された冷却材を含む、請求項８に記載のデバイス。
【請求項１１】
上記外側シリンダーは、真空断熱によって断熱されている、請求項８に記載のデバイス。
【請求項１２】
上記気化コイルと流体連通可能なコンプレッサーと、上記コンプレッサーと電気的に接続可能な蓄電池と、をさらに備える、請求項８に記載のデバイス。
【請求項１３】
上記相変化物質は、上記貯蔵領域の温度を２４時間の間０℃から１０℃の間の範囲に維持するように選択される、請求項８に記載のデバイス。
【請求項１４】
コールドチェーン貯蔵のためのポータブルデバイスであって、
内部に貯蔵領域を規定している容器を備え、
上記容器は、内側シリンダー、該内側シリンダーと同軸上の内方に規定された貯蔵領域、および、断熱された外側シリンダーを含み、
上記内側シリンダーは、
内部に配置された相変化物質であって、上記貯蔵領域と熱的に接続されている相変化物質、および、
内部に配置された気化コイルであって、上記相変化物質に埋め込まれている気化コイルを含み、
上記外側シリンダーの外壁は上記内側シリンダーの外壁の半径方向外側に配置されており、
上記外側シリンダーは上記内側シリンダーから取外し可能に配置可能であり、上記内側シリンダーおよび上記外側シリンダーはアニュラスを形成している、ポータブルデバイス。
【請求項１５】
上記外側シリンダーの内壁は、上記内側シリンダーの上記外壁の半径方向外側に取外し可能に配置されている、請求項１４に記載のデバイス。
【請求項１６】
上記内側シリンダーの内壁および外壁は、それぞれ、上記外側シリンダーの内壁および外壁と異なる、請求項１４に記載のデバイス。
【請求項１７】
上記外側シリンダーは、上記貯蔵領域を密封して覆うように構成されている、請求項１４に記載のデバイス。
【請求項１８】
上記気化コイルは、内部に配置された冷却材を含む、請求項１４に記載のデバイス。
【請求項１９】
上記外側シリンダーは、真空断熱によって断熱されている、請求項１４に記載のデバイス。
【請求項２０】
上記気化コイルと流体連通可能なコンプレッサーと、上記コンプレッサーと電気的に接続可能な蓄電池と、をさらに備える、請求項１４に記載のデバイス。
【請求項２１】
上記容器、上記コンプレッサー、および上記蓄電池を内部に受け入れるように構成された台枠をさらに備える、請求項２０に記載のデバイス。
【請求項２２】
上記相変化物質は、上記貯蔵領域の温度を２４時間の間０℃から１０℃の間の範囲に維持するように選択される、請求項１４に記載のデバイス。
【請求項２３】
コールドチェーン貯蔵のためのポータブルデバイスを製造する方法であって、
気化コイルを容器の内側シリンダー内に配置するステップと、
上記気化コイルを相変化物質内に埋め込むステップと、
容器の貯蔵領域を上記内側シリンダーと同軸上の内方に規定するステップであって、上記相変化物質は上記貯蔵領域と熱的に接続されているステップと、
上記容器の断熱された外側シリンダーの外壁が上記内側シリンダーの外壁の半径方向外側に配置されるように、上記外側シリンダーを上記内側シリンダーから取外し可能に配置するステップであって、上記内側シリンダーおよび上記外側シリンダーはアニュラスを形成しているステップと、
を含む製造方法。
【請求項２４】
コールドチェーン貯蔵のためのポータブルデバイスであって、
内部に貯蔵領域を規定している容器を備え、
上記容器は、内側シリンダー、該内側シリンダーと同軸上の内方に規定された貯蔵領域、および、断熱された外側シリンダーを含み、
上記内側シリンダーは、
内部に配置された相変化物質であって、上記貯蔵領域と熱的に接続されている相変化物質、および、
内部に配置された気化コイルであって、上記相変化物質に埋め込まれている気化コイルを含み、
上記外側シリンダーの外壁は上記内側シリンダーの外壁の半径方向外側に配置されており、
さらに、
上記気化コイルと流体連通可能なコンプレッサーと、
上記コンプレッサーと電気的に接続可能な蓄電池と、
上記容器を密封してに覆うように構成された蓋と、を備えるポータブルデバイス。
【請求項２５】
上記内側シリンダーおよび上記外側シリンダーは、アニュラスを形成する、請求項２４に記載のデバイス。
【請求項２６】
上記内側シリンダーは、上記外側シリンダー内に固定されて配置されている、請求項２４に記載のデバイス。
【請求項２７】
上記外側シリンダーは、上記内側シリンダーから取外し可能に配置可能である、請求項２４に記載のデバイス。
【請求項２８】
上記気化コイルは、内部に配置された冷却材を含む、請求項２４に記載のデバイス。
【請求項２９】
上記外側シリンダーは、真空断熱によって断熱されている、請求項２４に記載のデバイス。
【請求項３０】
上記コンプレッサーは、小型化コンプレッサーを含む、請求項２４に記載のデバイス。
【請求項３１】
温度センサーと、
上記温度センサーおよび上記コンプレッサーを制御可能に上記温度センサおよび上記コンプレッサーと接続された制御装置であって、上記温度センサーに応答して上記コンプレッサーを制御するように構成されている制御装置と、
をさらに備える、請求項２４に記載のデバイス。
【請求項３２】
上記容器、上記コンプレッサー、および上記蓄電池を内部に受け入れるように構成された台枠をさらに備える、請求項２４に記載のデバイス。
【請求項３３】
上記相変化物質は、上記貯蔵領域の温度を２４時間の間０℃から１０℃の間の範囲に維持するように選択される、請求項２４に記載のデバイス。
【発明の詳細な説明】
【発明の詳細な説明】
【０００１】
優先権出願の全ての発明特定事項は、そのような発明特定事項が本願と矛盾しない範囲で、参照により本願に援用される。
〔背景技術〕
本開示は、コールドチェーン（ｃｏｌｄ  ｃｈａｉｎ）貯蔵に関する。
【０００２】
多くのワクチンはタンパク質であり、その構成は、もしワクチンが過度に高温な場合、または過度に冷温な場合には変化する。ワクチンの有効性が維持されるためには、製造場所からそれらが使用される場所まで、ワクチンの温度を狭い範囲（典型的に２℃―８℃）に保つことが望ましい。そのため、ワクチンは、典型的に「コールドチェーン」、つまり、温度管理されたサプライチェーンの達成を伴う。コールドチェーンの達成は、移動および／または貯蔵の間の、ワクチンの冷蔵を典型的に伴う。
【０００３】
ワクチンは、農村地域のような、貧困な場所や遠隔地であって、電力を使用することができない場所へと移動され得る。コールドチェーンの達成は、ワクチンがそのような場所へ移動された場合困難かもしれない。そのような場所におけるコールドチェーンの欠如は、ワクチン接種の欠如に寄与し得る。
〔発明の概要〕
開示された実施形態は、コールドチェーン貯蔵のためのポータブルデバイスおよびコールドチェーン貯蔵のためのポータブルデバイスの製造方法を含む。
【０００４】
例示的な実施形態において、コールドチェーン貯蔵のためのポータブルデバイスは内部に貯蔵領域を規定する容器を備える。上記容器は、内側シリンダーを備え、上記貯蔵領域は上記内部シリンダーに同軸的に内方に規定されている。上記内側シリンダーは、内部に配置された相変化物質を含み、上記相変化物質は上記貯蔵領域と熱的に接続されている。上記内側シリンダーは、内部に埋め込まれている気化コイルを含んでいる。上記気化コイルは、上記相変化物質に埋め込まれている。上記容器は、断熱された外側シリンダーもまた備えている。上記外側シリンダーの外壁は、上記内側シリンダーの外壁に半径方向外側に配置されている。
【０００５】
別の例示的な実施形態において、コールドチェーン貯蔵のための別のポータブルデバイスは、内部に貯蔵領域を規定する容器を備える。上記容器は、内側シリンダーを備え、上記貯蔵領域は上記内部シリンダーに同軸的に内方に規定されている。上記内側シリンダーは、内部に配置された相変化物質を含み、上記相変化物質は上記貯蔵領域と熱的に接続されている。上記内側シリンダーは、内部に埋め込まれている気化コイルを含んでいる。上記気化コイルは、上記相変化物質に埋め込まれている。上記容器は、断熱された外側シリンダーもまた備えている。上記外側シリンダーの外壁は、上記内側シリンダーの外壁に半径方向外側に配置されている。上記内側シリンダーは、上記外側シリンダー内に固定されて配置されており、上記内側シリンダーおよび上記外側シリンダーはアニュラス（ａｎｎｕｌｕｓ）を形成する。
【０００６】
別の例示的な実施形態において、コールドチェーン貯蔵のための別のポータブルデバイスは、内部に貯蔵領域を規定する容器を備える。上記容器は、内側シリンダーを備え、上記貯蔵領域は上記内部シリンダーに同軸的に内方に規定されている。上記内側シリンダーは、内部に配置された相変化物質を含み、上記相変化物質は上記貯蔵領域と熱的に接続されている。上記内側シリンダーは、内部に埋め込まれている気化コイルを含んでいる。上記気化コイルは、上記相変化物質に埋め込まれている。上記容器は、断熱された外側シリンダーもまた備えている。上記外側シリンダーの外壁は、上記内側シリンダーの外壁に半径方向外側に配置されている。上記外側シリンダーは、上記内側シリンダーから取外し可能に配置可能であり、上記内側シリンダーおよび上記外側シリンダーはアニュラスを形成する。
【０００７】
別の例示的な実施形態において、コールドチェーン貯蔵のための別のポータブルデバイスの製造方法は提供される。気化コイルは、上記容器の内側シリンダー内に配置されている。上記気化コイルは、相変化物質中に埋め込まれる。容器の貯蔵領域は上記内側シリンダーに同軸的に内方に規定され、上記相変化物質は上記貯蔵領域と熱的に接続されている。上記外側シリンダーの外壁が上記内側シリンダーの外壁に半径方向外側に配置されるように、上記容器の断熱された外側シリンダーは、上記内側シリンダーの半径方向外側に配置される。
【０００８】
別の例示的な実施形態において、コールドチェーン貯蔵のための別のポータブルデバイスの製造方法は、提供される。気化コイルは、容器の内側シリンダー内に配置される。上記気化コイルは、相変化物質中に埋め込まれる。容器の貯蔵領域は、上記内側シリンダーに同軸的に内方に規定され、上記相変化物質は上記貯蔵領域と熱的に接続される。上記外側シリンダーが上記内側シリンダーの半径方向外側に配置され、上記外側シリンダーの外壁が上記内側シリンダーの外壁の半径方向外側に配置されるように、内側シリンダーは、上記容器の断熱された外側シリンダー内に、固定されて配置される。上記内側シリンダーおよび上記外側シリンダーは、アニュラスを形成する。
【０００９】
別の例示的な実施形態において、コールドチェーン貯蔵のための別のポータブルデバイスの製造方法は、提供される。気化コイルは、容器の内側シリンダー内に配置される。上記気化コイルは、相変化物質中に埋め込まれる。容器の貯蔵領域は、上記内側シリンダーに同軸的に内方に規定され、上記相変化物質は、上記貯蔵領域と熱的に接続される。上記外側シリンダーの外壁が上記内側シリンダーの外壁の半径方向外側に配置されるように、上記容器の断熱された外側シリンダーは、上記内側シリンダーから取外し可能に配置される。上記内側シリンダーおよび上記外側シリンダーはアニュラスを形成する。
【００１０】
別の例示的な実施形態において、コールドチェーン貯蔵のためのポータブルデバイスは、内部に貯蔵領域を規定する容器を備える。上記容器は、内側シリンダーを備え、上記貯蔵領域は上記内部シリンダーに同軸的に内方に規定されている。上記内側シリンダーは、内部に配置された相変化物質を含み、上記相変化物質は上記貯蔵領域と熱的に接続されている。上記内側シリンダーは、内部に埋め込まれている気化コイルを含んでいる。上記気化コイルは、上記相変化物質に埋め込まれている。上記容器は、断熱された外側シリンダーもまた備えている。上記外側シリンダーの外壁は、上記内側シリンダーの外壁に半径方向外側に配置されている。コンプレッサーは、上記気化コイルと流体連通可能であり、蓄電池は、上記コンプレッサーに電気的に接続可能である。蓋は、上記容器を密封して覆うように構成される。上述の概要は例示的なものにすぎず、いかなる限定も意図するものではない。上述した例示的な態様、実施形態、および構成に加え、図面及び以下の詳細な説明を参照することによって、さらなる態様、実施形態、および構成が明らかになるだろう。
〔図面の簡単な説明〕
〔図１〕図１は、例示的なコールドチェーン貯蔵のためのポータブルデバイスの部分的な切取斜視図である。
【００１１】
〔図２〕図２は、例示的なコールドチェーン貯蔵のためのポータブルデバイスの構成要素の詳細の部分的な切取側面図である。
【００１２】
〔図３〕図３は、例示的なコールドチェーン貯蔵のためのポータブルデバイスの斜視図である。
【００１３】
〔図４〕図４は、コールドチェーン貯蔵のための別の例示的なポータブルデバイスの斜視図である。
【００１４】
〔図５Ａ〕図５Ａは、例示的なコールドチェーン貯蔵のためのポータブルデバイスの詳細の部分的な概略図かつ部分的な切取側面図である。
【００１５】
〔図５Ｂ〕図５Ｂは、例示的なコールドチェーン貯蔵のためのポータブルデバイスの別の詳細の、部分的な概略図における側面図である。
【００１６】
〔図６Ａ〕図６Ａは、コールドチェーン貯蔵のためのポータブルデバイスの例示的な製造方法のブロック図である。
【００１７】
〔図６Ｂ〕図６Ｂは、図６Ａの上記方法の詳細のブロック図である。
【００１８】
〔図６Ｃ〕図６Ｃは、図６Ａの上記方法の詳細のブロック図である。
【００１９】
〔図６Ｄ〕図６Ｄは、図６Ａの上記方法の詳細のブロック図である。
【００２０】
〔図６Ｅ〕図６Ｅは、図６Ａの上記方法の詳細のブロック図である。
【００２１】
〔図６Ｆ〕図６Ｆは、図６Ａの上記方法の詳細のブロック図である。
【００２２】
〔図６Ｇ〕図６Ｇは、図６Ａの上記方法の詳細のブロック図である。
【００２３】
〔図６Ｈ〕図６Ｈは、図６Ａの上記方法の詳細のブロック図である。
【００２４】
〔図６Ｉ〕図６Ｉは、図６Ａの上記方法の詳細のブロック図である。
【００２５】
〔図６Ｊ〕図６Ｊは、図６Ａの上記方法の詳細のブロック図である。
【００２６】
〔図６Ｋ〕図６Ｋは、図６Ａの上記方法の詳細のブロック図である。
【００２７】
〔図６Ｌ〕図６Ｌは、図６Ａの上記方法の詳細のブロック図である。
【００２８】
〔図６Ｍ〕図６Ｍは、図６Ａの上記方法の詳細のブロック図である。
【００２９】
〔図６Ｎ〕図６Ｎは、図６Ａの上記方法の詳細のブロック図である。
【００３０】
〔図６Ｏ〕図６Ｏは、図６Ａの上記方法の詳細のブロック図である。
【００３１】
〔図７Ａ〕図７Ａは、コールドチェーン貯蔵のためのポータブルデバイスの別の例示的な製造方法のブロック図である。
【００３２】
〔図７Ｂ〕図７Ｂは、図７Ａの上記方法の詳細のブロック図である。
【００３３】
〔図７Ｃ〕図７Ｃは、図７Ａの上記方法の詳細のブロック図である。
【００３４】
〔図７Ｄ〕図７Ｄは、図７Ａの上記方法の詳細のブロック図である。
【００３５】
〔図７Ｅ〕図７Ｅは、図７Ａの上記方法の詳細のブロック図である。
【００３６】
〔図７Ｆ〕図７Ｆは、図７Ａの上記方法の詳細のブロック図である。
【００３７】
〔図７Ｇ〕図７Ｇは、図７Ａの上記方法の詳細のブロック図である。
【００３８】
〔図７Ｈ〕図７Ｈは、図７Ａの上記方法の詳細のブロック図である。
【００３９】
〔図７Ｉ〕図７Ｉは、図７Ａの上記方法の詳細のブロック図である。
【００４０】
〔図７Ｊ〕図７Ｊは、図７Ａの上記方法の詳細のブロック図である。
【００４１】
〔図７Ｋ〕図７Ｋは、図７Ａの上記方法の詳細のブロック図である。
【００４２】
〔図８Ａ〕図８Ａは、コールドチェーン貯蔵のためのポータブルデバイスの別の例示的な製造方法のブロック図である。
【００４３】
〔図８Ｂ〕図８Ｂは、図８Ａの上記方法の詳細のブロック図である。
【００４４】
〔図８Ｃ〕図８Ｃは、図８Ａの上記方法の詳細のブロック図である。
【００４５】
〔図８Ｄ〕図８Ｄは、図８Ａの上記方法の詳細のブロック図である。
【００４６】
〔図８Ｅ〕図８Ｅは、図８Ａの上記方法の詳細のブロック図である。
【００４７】
〔図８Ｆ〕図８Ｆは、図８Ａの上記方法の詳細のブロック図である。
【００４８】
〔図８Ｇ〕図８Ｇは、図８Ａの上記方法の詳細のブロック図である。
【００４９】
〔図８Ｈ〕図８Ｈは、図８Ａの上記方法の詳細のブロック図である。
【００５０】
〔図８Ｉ〕図８Ｉは、図８Ａの上記方法の詳細のブロック図である。
〔発明を実施するための形態〕 
以下の発明の詳細な説明において、本明細書の一部を構成する添付図面を参照する。図面において、文脈においてその他のものとして記載されていない限り、同様の符号は概して同様の構成要素を特定する。発明の詳細な説明、図面、および請求項に記載されている例示的な実施形態は、限定を意味するものではない。本明細書に示す発明特定事項の思想または範囲から逸脱しない限りにおいて、他の実施形態を利用し、他の変更を加えてもよい。
【００５１】
当業者は、本明細書に記載の各構成要素（例えば、各動作）、デバイス、物体、およびそれらに付随する説明が、概念的明確性のための例として使用されるものであり、様々な構成の変形が考えられることを認識するであろう。したがって、本明細書に使用されるとき、記載された具体例および付随する説明は、それらのより一般的な種類を代表することを意図している。一般的に、具体例の仕様はその種類を代表することを意図しており、具体的な各構成要素（例えば、各動作）、デバイス、及び物体を欠くものは、限定として理解されるべきではない。
【００５２】
一般的に、当業者は、本明細書で記載された当該様々な実施形態は、様々な型の電子−機械システムであって、ハードウェア、ソフトウェア（例えば、ハードウェア仕様として動作する、高レベルなコンピュータプログラム）、ファームウェア、および／またはそれらの、米国特許法第１０１条（35 U.S.C. 101）の下の特許可能な発明特定事項に限定される、実質的に任意の、組合せのような幅広い電子コンポーネントを有する電子−機械システムによって、ならびに、様々な型の電子−機械システムであって、剛体、ばねまたはトーション体（ｔｏｒｓｉｏｎａｌ  ｂｏｄｉｅｓ）、液圧、電磁作動デバイス、および／またはそれらの実質的に任意の組合せのような、機械的力または運動を伝達し得る幅広い構成要素を有する電子−機械システムによって、個々におよび／または選択的に実装され得ること、を認識するであろう。したがって、本明細書に使用されるとき、「電子−機械システム」は、トランスデューサー（ｔｒａｎｓｄｕｃｅｒ）（例えば、アクチュエーター、モーター、圧電結晶、微小電子機械システム（ＭＥＭＳ）、など）と制御可能（ｏｐｅｒａｂｌｙ）に接続された電子回路、少なくとも１つの分離した電子回路を有する電子回路、少なくとも１つの集積回路を有する電子回路、少なくとも１つの特定用途向け集積回路を有する電子回路、コンピュータプログラム（例えば、本明細書に記載されたプロセスおよび／またはデバイスを少なくとも部分的に実行するコンピュータプログラムによって構成された汎用コンピュータ、または、本明細書に記載されたプロセスおよび／またはデバイスを少なくとも部分的に実行するコンピュータプログラムによって構成されたマイクロプロセッサー）によって構成された汎用計算機を形成する電子回路、記憶装置（例えば、ランダムアクセス、フラッシュ、リードオンリーなどのようなメモリの様式）を形成する電子回路、通信装置（例えば、モデム、通信スイッチ、光学電子機器、など）を形成する電子回路、および／またはそれらの回路への、光学的なまたは他の類似物（例えば、グラフェンベースの回路）のような、任意の非電子的類似物、を含み、しかしそれに限定されない。当業者は、電子−機械システムの例には、様々な民生用電子機器システム、医療装置と同様に、機械化（ｍｏｔｏｒｉｚｅｄ）輸送システム、ファクトリーオートメーションシステム、セキュリティシステム、および／または通信／計算システム等他のシステムが含まれ、しかしそれに限定されないことを認めるであろう。当業者は、本明細書で使用される電子−機械は、文脈によって他に規定されない限り、必ずしも電子的および機械的作動の両方を有するシステムに限定されないことを認めるであろう。
【００５３】
一般的に、当業者は、本明細書に記載された様々な態様であって、個々にまたは集合的に幅広いハードウェア、ソフトウェア（例えば、ハードウェア仕様として動作する、高レベルなコンピュータプログラム）、ファームウェア、および／またはそれらの任意の組合せによって実装される態様は、様々な型の「電子回路」からなるものとみなされることを認めるであろう。したがって、本明細書に使用されるとき、「電子回路」は、少なくとも１つの分離した電子回路を有する電子回路、少なくとも１つの集積回路を有する電子回路、少なくとも１つの特定用途向け集積回路を有する電子回路、コンピュータプログラム（例えば、本明細書に記載されたプロセスおよび／またはデバイスを少なくとも部分的に実行するコンピュータプログラムによって構成された汎用コンピュータ、または、本明細書に記載されたプロセスおよび／またはデバイスを少なくとも部分的に実行するコンピュータプログラムによって構成されたマイクロプロセッサー）によって構成された汎用計算機を形成する電子回路、記憶装置（例えば、ランダムアクセス、フラッシュ、リードオンリーなどのようなメモリの様式）を形成する電子回路、通信装置（例えば、モデム、通信スイッチ、光学電子機器、など）を形成する電子回路、を含み、しかしそれに限定されない。当業者は、本明細書に示す発明特定事項が、アナログまたはデジタルまたはそれらの組合せの方法で実装され得ることを認めるであろう。
【００５４】
概観として、図１に示すように、例示的なコールドチェーン貯蔵のためのポータブルデバイス１０は、内部に貯蔵領域１４を規定する容器１２を備える。上記容器１２は、内側シリンダー１６を備え、貯蔵領域１４は上記内側シリンダー１６に同軸的に内方に規定される。上記内側シリンダー１６は、内部に相変化物質１８を含み、上記相変化物質１８は、上記貯蔵領域１４と熱的に接続されている。上記内側シリンダー１６は、内部に配置された気化コイル２０もまた備える。上記気化コイル２０は、上記相変化物質１８中に埋め込まれている。上記容器１２は、断熱された外側シリンダー２２もまた備える。上記外側シリンダー２２の外壁２４は、上記内側シリンダー１６の外壁２６に半径方向外側に配置されている。
【００５５】
さらに、概観として、および付加的に図３および４に示すように、非制限的な例として与えられた様々な実施形態において、ワクチンのような製品は、上記貯蔵領域１４内に貯蔵されてもよい。上記断熱された外側シリンダー２２は、熱の漏えいの減少を補助することができ、それにより、上記製品が所望の温度幅の間に維持される期間の延長を補助する。上記製品の上記所望の温度幅内での温度維持の補助のため、ある環境下では、蓄電池３８によって電力が供給されるコンプレッサー３６は、上記気化コイル２０中の冷却材に冷却サイクルを受けさせ、それにより上記冷却材の温度を低下させる。熱は、次に、上記相変化物質１８から上記冷却材へと運ばれ、それにより、上記相変化物質１８が層を変化させるように、上記相変化物質の温度を低下させる。熱は、次に、上記貯蔵領域１４から上記相変化物質１８へと運ばれ、それにより、上記貯蔵領域（およびワクチンのような、内部に貯蔵された上記製品）の所望の温度幅の間の温度維持を補助する。上記コンプレッサー３６は、所望の温度が達成された場合には停止され得る。
【００５６】
例示のみかつ非限定な例として、例示的な詳細を下記に説明する。
【００５７】
ふたたび図１に示すように、上記内側シリンダー１６および上記外側シリンダー２２は、所望のどのような材料製であってもよい。上記内側シリンダー１６および上記外側シリンダー２２は、軽量且つ低コストを保つ一方で、許容可能な強度、熱伝達率、および耐腐食性を示すことが望ましい。そのため、いくつかの実施形態において、上記内側シリンダー１６および上記外側シリンダー２２は、ＳＡＥ３０４ステンレス鋼のような、しかしそれに限定されないステンレス鋼製であってもよい。そのような限定は意図されておらず、推察されるべきでもないことが認められよう。そのため、上記内側シリンダー１６および外側シリンダー２２は所望の他のステンレス鋼製であってもよく、例えば銅、アルミニウム、および同様の、しかしそれに限定されない、他の所望の材料製であってもよい。しかしながら、異種金属接触腐食の可能性を減じるため、上記内側シリンダー１６および上記外側シリンダー２２は、同一の材料製であることが望ましい。上記内側シリンダー１６および上記外側シリンダー２２は、アニュラスを形成することが認められよう。様々な実施形態において、上記内側シリンダー１６および上記外側シリンダー２２によって形成された上記アニュラスは、上記外側シリンダー２２の外壁２４と上記内側シリンダー１６の内壁２８とによって区切られた領域を含む。上記貯蔵領域１４は、所望の特定の用途のための寸法に合わせて作られることが、認められるであろう。例えば、ワクチンのような、貯蔵され輸送され得る製品の量を最大化するため、上記貯蔵領域１４の容積を最大化することが望ましいかもしれない。上記貯蔵領域の寸法を決定する場合、いくつかの実施形態において、所与の量の相変化物質１８に対しては、上記貯蔵領域１４の上記容積が大型化する程、上記コンプレッサー３６のサイクルの間の時間であって上記相変化物質１８を再凍結させることに伴う時間は、短時間化する。しかしながら、いくつかの実施形態および相変化物質１８の量が増加させられた実施形態では、上記コンプレッサー３６のサイクルの間の時間であって上記相変化物質１８を再凍結させることに伴う時間は、上記貯蔵領域１４の容積の増加に伴い、短時間化する必要はないことが認められよう。
【００５８】
また、一般的に上記貯蔵領域１４が大型化するほど、容器１２の寸法は大型化し、上記デバイス１０の可搬性は減じられる。
【００５９】
例示のみであり非制限的に与えられる例として、いくつかの実施形態において、上記貯蔵領域は、２リットルまたはその程度のオーダーの体積を有してもよい。
【００６０】
図１および２に示すように、いくつかの実施形態において上記内側シリンダー１６は、上記外側シリンダー２２内に固定されて配置され得る。そのような実施形態では、上記内側シリンダー１６は、上記外側シリンダー２２の内壁３０と、上記外側シリンダー２２の上記外壁２４との間に規定される。いくつかの実施形態において、上記外側シリンダー２２の上記内壁３０の一部は、上記内側シリンダー１６の上記内壁２８である。いくつかの実施形態において、上記内側シリンダー１６の上記内壁２８は、例えば（限定なしに）、結合、溶接、はんだ付け、接着、またはリベット、ボルト、ねじ、もしくは同種の留め具などによって、上記外側シリンダー２２の上記内壁３０の一部へ固定されて取り付けられる。
【００６１】
図１および３に示すように、他のいくつかの実施形態において、上記外側シリンダー２２（明確化のため、仮想的に（ｐｈａｎｔｏｍ）図３に示す）は、上記内側シリンダー１６から取外し可能に配置可能であり得る。そのような実施形態において、上記外側シリンダー２２の上記内壁３０は、上記内側シリンダー１６の上記外壁２６の半径方向外側に、取外し可能に配置される。
【００６２】
また、そのような実施形態において、上記内側シリンダー１６および上記外側シリンダー２２は、２つの、個別で異なるシリンダーであって、構成要素を成す壁の一部を共有しない。そのため、そのような実施形態において、上記内側シリンダー１６の上記内壁２８および上記内側シリンダー１６の上記外壁２６は、それぞれ、上記外側シリンダー２２の上記内壁３０および上記外側シリンダー２２の上記外壁２４とは異なる。
【００６３】
図１から４に示すように、様々な実施形態において、デバイス１０は、上記容器１２を密封して覆うように構成された蓋を備える。図４に示すように、いくつかの実施形態において、蓋３２は、上記デバイス１０の他の構成要素と別の構成要素として提供され得る。そのような実施形態は、上記内側シリンダー１６の上が上記外側シリンダー２２の中に固定されて配置された実施形態を含む（図１および２を参照）。上記蓋３２は、上記容器１２を任意の許容可能な方法で密封してもよい。例えば、上記蓋３２は、螺合的（ｔｈｒｅａｄｅｄｌｙ）に上記外側シリンダー２２の外部表面と係合（ｅｎｇａｇｅ）してもよく、またはラッチ的（ｌａｔｃｈｅｄｌｙ）に上記外側シリンダー２２の外部表面と係合してもよい。図１および図３に示すように、上記外側シリンダー２２が上記内側シリンダー１６から取外し可能に配置可能である実施形態において、上記外側シリンダー２２は上記容器１２を密封して覆うように構成された上記蓋として動作する。上記外側シリンダー２２は、上記容器１２を、どのような許容可能な方法で密封してもよい。例えば、上記外側シリンダー２２は、螺合的に上記内側シリンダー１６の外部表面と係合してもよく、ラッチ的に上記内側シリンダー１６の基礎部分３４の外部表面、または同様のものと係合してもよい。
【００６４】
上記気化コイル２０は、所望の特定の用途のための、どのような材質製でもよい。上記気化コイル２０は、重量が軽減されることにより携帯性に寄与する一方で、所望の熱伝導性を示す材質製であることが望ましいことが理解されるであろう。様々な実施形態において、上記気化コイル２０は銅製でもよい。しかしながら、上記気化コイル２０は銅であることに限定されることは意図されておらず、そのような推論はされるべきではない。他の実施形態において、上記気化コイルはステンレススチールまたは他のどのような所望の材質から成ってもよい。
【００６５】
要約して上述したように、様々な実施形態において、上記気化コイル２０は、内部に配置された冷却材を含む。上記冷却材は、所望の特定の用途のための、任意の許容可能な冷却材を含んでもよい。非制限的な例では、上記冷却材はＲ１３４ａ、Ｒ−６００、Ｒ４４１ａ、および同種の冷却材を含んでもよい。
【００６６】
上述のように、上記気化コイル２０は、上記相変化物質１８中に埋め込まれている。つまり、上記気化コイル２０および上記相変化物質１８は、互いに熱的に接続されており、また、様々な実施形態において、互いに物理的に直接接触していてもよい。様々な実施形態において、上記相変化物質１８は、所望の特定の用途のためのどのような許容可能な潜熱蓄熱物質を含んでもよい。上記相変化物質１８は、（上記外側シリンダー２２の断熱性能と協力して、）所望の量のエネルギーであって、所望の期間所望の温度幅の間で上記貯蔵領域１４（および内部に貯蔵された任意の製品）の温度維持の補助を、所望の温度における溶融および凝固を介して可能である、エネルギーの、貯蔵と解放が可能な、十分に高い融解熱を有するように選択される事が理解されよう。
【００６７】
例示のみであり非制限的に与えられる例として、いくつかの実施形態において、上記相変化物質１８は、上記貯蔵領域１４の温度を２４時間の間０℃から１０℃の間に維持するように選択されてもよい。いくつかの実施形態において、上記相変化物質１８は、上記貯蔵領域１４の温度を２４時間の間２℃から８℃の間に維持するように選択されてもよい。いくつかの実施形態において、上記相変化物質１８は、上記貯蔵領域１４の温度を２４時間の間４℃から６℃の間に維持するように選択されてもよい。
【００６８】
また、被限定的に与えられる例として、様々な実施形態において、例示的な相変化物質は、約２℃から３℃の間の温度幅において凍結してもよい。上述の上記熱的特性に加えて、相変化物質１８は、望ましい制限の中で膨張および収縮することが望ましい。上述の上記望ましい特性の観点から、および非限定的に与えられる例として、上記相変化物質は、限定ではなく、約４度で融解するテトラデカンであって、米国ミネソタ州プリマスのＥｎｔｒｏｐｙＳｏｌｕｔｉｏｎｓから製品ＰｕｒｅＴｅｍｐ４として商業的に利用可能であるテトラデカンを含んでもよい。ＰｕｒｅＴｅｍｐ４は、約４℃の融点、約２−３℃の凍結点、約１９５ｋＪ／ｋｇの溶融潜熱、８８０ｋｇ／ｍ３の密度、および約２．４４ｋＪ／ｋｇ‐Ｋの比熱を有する。しかしながら、そのような限定は意図されておらず、またそのように解釈されるべきではない。そのため、所望の熱的膨張／収縮性を有する任意の許容可能な潜熱蓄熱材料は、所望の特定の用途向けの上記相変化物質のために用いられてもよい。非制限的な例として、他の相変化物質であって使用され得る物質には、ＰｕｒｅＴｅｍｐ６、Ｐｈａｓｅ５および水が含まれる。任意の量の上記相変化物質１８は、所望の特定の用途のために使用され得ることもまた認められよう。例えば、使用される相変化物質１８の量（および種類）は、部分的に、上記内側シリンダー１６の容積であって上記気化コイル２０に占有されていない、上記利用可能な容積と、上記相変化物質１８の膨張および収縮性能と、維持されるように望まれる温度範囲と、上記容器１２からの上記熱漏洩レートと、に依存し得る。例えば、例示のみであり非制限的に与えられる例として、１つの例示的な実施形態において上記相変化物質は、約１リットルのＰｕｒｅＴｅｍｐ４を含んでもよい。そのような例において、約１リットルのＰｕｒｅＴｅｍｐ４であって約２−３℃で凍結されたＰｕｒｅＴｅｍｐ４が、約２Ｗの熱漏洩に晒されている間その融点である約４℃で融解するには、約２４時間が伴う。そのような場合、この構成は、上記貯蔵領域１４の温度を維持するために上記コンプレッサー３６が必要とする動作の間に、約２４時間が経過し得ることを意味する。
【００６９】
上述のように、様々な実施形態において、上記外側シリンダー２２は断熱されている。いくつかの実施形態において、上記デバイス１０の重量を最小化することおよび／または上記容器１２からの熱漏洩を減じることが望ましいことが認められよう。
【００７０】
例示のみであり非制限的に与えられる例として、いくつかの実施形態において、上記容器１２からの熱漏洩は、約２Ｗまたはその程度のオーダーであってよい。そのため、いくつかの実施形態において、上記外側シリンダー２２は真空断熱によって断熱されていてもよい。しかしながら、そのような限定は意図されておらず、またそのように解釈されるべきではない。そのため、所望の断熱性および重量を有する任意の許容可能な断熱材料は、所望の特定の用途向けの上記外側シリンダー２２の断熱のために用いられてもよい。非制限的な例として、いくつかの実施形態は、真空断熱パネル、ポリエチレンフォームパネル、および／または真空取り込み（ｖａｃｕｕｍ  ｓｕｒｒｏｕｎｄｉｎｇ）ガラスビーズのような任意の１種以上の断熱材料を含んでもよい。
【００７１】
概要として上述のように、様々な実施形態において、上記デバイス１０は、（コンデンシングユニットとしても知られる）上記コンプレッサー３６であって上記気化コイル２０へ流体連通可能であるコンプレッサーおよび、上記コンプレッサー３６へ電気的に接続可能な上記蓄電池３８を含んでもよい。上記コンプレッサー３６は、チュービング４０を介して上記気化コイルと流体連通可能である。図２に示すように、上記チュービング４０は、上記外側シリンダー２２を通って伸びている。図３に示すように、上記チュービング４０は、上記内側シリンダー１６の上記ベース３４を通って伸びている。例えば急速継手、圧縮継手、あるいは同種の継手のような、どのような種の継手またはカップリングも、上記コンプレッサー３６を上記チュービング４０へ接続するために望まれるように、使用されてよい。上述部分で簡単に触れたように、ある条件下では上記コンプレッサー３６は、上記気化コイル２０中の冷却材に冷却サイクルを受けさせることができ、それにより上記冷却材の温度を低下させることができる。可搬であり、軽量で、低い電力消費量を有するコンプレッサーを選択することが望ましいことが認められよう。
【００７２】
例示のみであり非制限的に与えられる例として、いくつかの実施形態において、上記コンプレッサー３６は、ＡｓｐｅｎＭｉｎｉａｔｕｒｅＲｏｔａｒｙ可搬コンプレッサーまたは同種のコンプレッサーのような、小型化コンプレッサーを含んでよい。いくつかの実施形態において、上記気化コイル２０中の冷却材を十分に冷却し上記相変化物質１８を凍結させるため、約１５分またはその程度のコンプレッサー作動時間が伴われ得る。上記コンプレッサー３６の電力消費に依存して、いくつかの実施形態において、約１００Ｗのオーダーの電力が上記コンプレッサー３６によって１５分の作動時間の間に消費され得る。
【００７３】
上記蓄電池３８は、所望の特定の用途のための、任意の適切な蓄電池を含んでよい。いくつかの実施形態において、上記蓄電池３８は、例えば、そして非制限的に、リチウムイオンポリマー（”ＬｉＰｏ”または”Ｌｉ−ｐｏｌｙ”）蓄電池、リチウムポリマー(”ＬｉＰ”）蓄電池、リチウムイオン（”Ｌｉ−ｉｏｎ”）蓄電池、リチウム鉄（”ＬｉＦｅ”）蓄電池、リン酸鉄リチウム（”ＬｉＦｅＰＣＶ”または”ＬＦＰ”）蓄電池、または同様の蓄電池のような、Ｌｉ蓄電池を含んでもよい。しかしながら、上記蓄電池３８は必ずしもＬｉ蓄電池に限定されず、そのような限定が解釈されるべきではない。蓄電池は当業種において極めてよく知られており、任意の蓄電池技術を用いる任意の許容可能な蓄電池が、所望の特定の用途のために使用されてもよい。蓄電池技術に関わらず、様々な実施形態において、上記蓄電池３８は部分的に寸法、重量、および電力量（ｅｌｅｃｔｒｉｃａｌ  ｃａｐａｃｉｔｙ）のような要素に基づいて、選択されてもよい。例示のみであり非制限的に与えられる例として、いくつかの実施形態において、蓄電池３８の電力量は、約２８０Ｗ‐ｈｒでもよい。そのような実施形態で、かつ上記コンプレッサー３６が１５分間または同程度のイベントの作動時間の間に約８０Ｗを引き出す構成において、上記コンプレッサー３６は、上記蓄電池３８が尽きる前に約５回動作し得ることが認められよう。コンプレッサーの作動時間イベントの間に約２４時間が経過し得るように上記デバイス１０が構成されている実施形態において、上記デバイス１０は、単一の蓄電池３８で約５日間動作し得る。
【００７４】
図５Ａから５Ｂを付加的に参照し、様々な実施形態において、上記デバイス１０は温度センサ４２と、上記温度センサー４２へ制御可能（ｏｐｅｒａｔｉｖｅｌｙ）に結合可能であり上記コンプレッサー３６へ制御可能に結合された制御装置４４と、を備えてもよい。そのような実施形態において、上記制御装置４４は、上記コンプレッサー３６を上記温度センサー４２に応答して制御するように構成される。
【００７５】
様々な実施形態において、上記温度センサー４２には、任意の許容可能な所望の温度センサーを、例えば熱電対、サーミスタ、測温抵抗体、デジタル温度センサー、または同種の温度センサーが、含まれてもよい。また、いくつかの実施形態において、もし望まれる場合には、上記温度センサー４２は、固有の識別コードを備える。図５Ａに示すように、いくつかの実施形態において、上記温度センサー４２は、上記相変化物質１８と熱的に接続されて配置され得る。そのような場合、上記温度センサー４２は、上記内側シリンダー内に配置される。図５Ｂに示すように、他のいくつかの実施形態において、上記温度センサー４２は上記貯蔵領域１４と熱的に接続されて配置され得る。そのような場合、上記温度センサー４２は、上記貯蔵領域内に配置される。
【００７６】
様々な実施形態において、上記制御装置４４は、「ｏｎ−ｏｆｆ」制御装置であって、上記温度センサー４２が所定の上側閾値温度を検知した場合に上記コンプレッサー３６を起動させ、かつ上記温度センサー４２が所定の下側閾値温度を検知した場合に停止させるようにさらに構成された制御装置または同種の制御装置のような、任意の制御装置であってよい。様々な実施形態において、上記制御装置４４は、非限定的に、ＡＲＭ、Ｉｎｔｅｌ、またはＦｒｅｅｓｃａｌｅプラットフォームまたは同種の制御装置のようなマイクロプロセッサーを備えてよい。
【００７７】
例えば、そして例示的で非制限的な例として、２−８℃の動作温度範囲を実装する様々な実施形態において、上記制御装置４４内の制御アルゴリズムは、上記温度センサー４２が上記貯蔵領域１４内部に２℃の温度を計測した場合、上記制御装置４４に、上記コンプレッサー３６を停止させる。そのような実施形態において、上記温度センサー４２は、（略等温的であろう）上記貯蔵領域１４の表面温度を計測するように、配置される。上記制御装置４４内部の上記制御アルゴリズムは、上記温度センサー４２が５℃の温度を計測した場合、上記制御装置４４に、上記コンプレッサー３６を起動させる。これらの設定ポイントは、他の動作範囲をサポートするため、所望の他の値を取り得ることが認められよう。様々な実施形態において、上記設定ポイントは上記相変化物質の上記融点と直接的に関連する。その観点から、上記相変化物質の上記融点は、上記動作範囲のおよそ中間であることが望ましいことが認められよう。しかしながら、他のいくつかの実施形態において、「ｏｎ−ｏｆｆ」制御アルゴリズム以外の制御アルゴリズムが、所望の特定の用途向けの上記制御装置４４の制御のために使用されてもよい。
【００７８】
上述の議論のように、上記デバイス１０は可搬であり、上記デバイス１０はワクチンのような製品を遠隔地へ輸送するために使用され得ることが望ましい。そのため、様々な実施形態において、上記デバイス１０は、台枠４６（図４）であって内部に上記容器１２、上記コンプレッサー３６、および上記蓄電池３８を受け止めるように構成された台枠を備えてもよい。いくつかのこれらの実施形態において、上記デバイス１０は、運搬部材４８（図３）であって上記台枠４６へ取付可能かつユーザーが上記台枠４６を運搬できるように構成された運搬部材を備えてもよい。例えばストラップ、ハンドルまたは同種の運搬部材のような、しかしそれに制限されない任意の許容可能な運搬部材が、所望の特定の用途向けに使用され得る事が理解されよう。
【００７９】
下記は、実装を描写する一連のフローチャートである。理解を容易にするため、上記フローチャートは、上記イニシャルフローチャートが例示的な実装を介して実装を代表するように、そしてその後上記引き続くフローチャートが、代替的な実装および／または上記イニシャルフローチャートの拡張を、前述の１つ以上の提供されたフローチャートの上に築かれているサブコンポーネント動作もしくは付加的コンポーネント動作として提供するように、系統だてられている。当業者は、本明細書中に利用された提示のスタイル（例えば、例の実装を提示するフローチャートの提示から開始し、そしてその後、付加部分および引き続くフローチャートにおいてさらなる詳細を提供するスタイル）は、一般的に、上記様々なプロセス実装の迅速かつ容易な理解を可能にすることを認めるであろう。加えて、当業者は、本明細書中に使用された提示のスタイルは、モジュラー式のおよび／またはオブジェクト指向プログラム設計パラダイムに適していることをも、さらに認めるであろう。
【００８０】
今、図６Ａに示すように、コールドチェーン貯蔵向けのポータブルデバイスの製造の例示的手法１００を提供する。
上記手法１００は、ブロック１０２から開始する。
ブロック１０４において、気化コイルは、容器の内側シリンダーに配置される。
ブロック１０６において、上記気化コイルは、相変化物質中に埋め込まれる。
ブロック１０８において、容器の貯蔵領域は、上記内側シリンダーに同軸的に内方に規定され、上記相変化物質は上記貯蔵領域と熱的に接続されている。
ブロック１１０において、上記外側シリンダーの外壁が上記内側シリンダーの外壁に半径方向外側に配置されるように、上記容器の断熱された外側シリンダーは、上記内側シリンダーの半径方向外側に配置される。
上記手法１００は、ブロック１１２において停止する。
【００８１】
図６Ｂに示すように、いくつかの実施形態では、上記手法１００は、上記内側シリンダーおよび外側シリンダーを用いたアニュラスの形成ステップを、ブロック１１４においてさらに含んでもよい。
【００８２】
図６Ｃに示すように、いくつかの実施形態では、上記手法１００は、上記内側シリンダーを上記外側シリンダーの中に規定するステップを、ブロック１１６においてさらに含んでもよい。
【００８３】
図６Ｄに示すように、いくつかの実施形態では、上記手法１００は、上記内側シリンダーを、上記外側シリンダーの内壁と上記外側シリンダーの外壁との間に規定するステップを、ブロック１１８においてさらに含んでもよい。
【００８４】
図６Ｅに示すように、いくつかの実施形態では、ブロック１１８において上記内側シリンダーを、上記外側シリンダーの内壁と上記外側シリンダーの外壁との間に規定するステップは、上記内側シリンダーの内壁を、上記外側シリンダーの上記内壁の一部として規定するステップを、ブロック１２０においてさらに含んでもよい。
【００８５】
図６Ｆに示すように、いくつかの実施形態では、ブロック１１８において上記内側シリンダーを、上記外側シリンダーの内壁と上記外側シリンダーの外壁との間に規定するステップは、上記内側シリンダーの内壁を、上記外側シリンダーの上記内壁の一部へ固定して取り付けるステップを、ブロック１２２において含んでもよい。
【００８６】
図６Ｇに示すように、いくつかの実施形態では、上記手法１００は、上記外側シリンダーを、上記内側シリンダーから取外し可能に配置するステップを、ブロック１２４においてさらに含んでもよい。
【００８７】
図６Ｈに示すように、いくつかの実施形態では、上記手法１００は、上記容器を密封して覆うステップを、ブロック１２６においてさらに含んでもよい。
【００８８】
図６Ｉに示すように、いくつかの実施形態では、上記手法１００は、上記気化コイル中に冷却材を配置するステップを、ブロック１２８においてさらに含んでもよい。
【００８９】
図６Ｊに示すように、いくつかの実施形態では、上記手法１００は、コンプレッサーを流体連通で上記気化コイルと接続させるステップを、ブロック１３０において、また上記コンプレッサーと蓄電池を電気的に接続させるステップを、ブロック１３２において、さらに含んでよい。
【００９０】
図６Ｋに示すように、いくつかの実施形態では、上記手法１００は、温度センサーを提供するステップを、ブロック１３４において含んでよく、また、制御装置を上記温度センサーおよび上記コンプレッサーと制御可能に接続させ、上記制御装置は、上記コンプレッサーを上記温度センサーに応答して制御するように構成されているステップを、ブロック１３６において、さらに含んでよい。
【００９１】
図６Ｌに示すように、いくつかの実施形態では、ブロック１３４において温度センサーを提供するステップは、上記温度センサーを、上記相変化物質と熱的に接続して配置するステップを、ブロック１３８においてさらに含んでもよい。
【００９２】
図６Ｍに示すように、いくつかの実施形態では、ブロック１３４において温度センサーを提供するステップは、上記温度センサーを、上記貯蔵領域と熱的に接続して配置するステップを、ブロック１４０においてさらに含んでもよい。
【００９３】
図６Ｎに示すように、いくつかの実施形態では、上記手法１００は、上記容器、上記コンプレッサー、および上記蓄電池を内部に受け止めるように構成された台枠を提供するステップを、ブロック１４２においてさらに含んでもよい。
【００９４】
図６Ｏに示すように、いくつかの実施形態では、上記手法１００は、上記台枠へ取付可能かつユーザーが上記台枠を運搬できるように構成された運搬部材を提供するステップを、ブロック１４４においてさらに含んでもよい。
【００９５】
図７Ａに示すように、コールドチェーン貯蔵のためのポータブルデバイスの製造の別の例示的な手法２００を提供する。
上記手法２００は、ブロック２０２において開始する。
ブロック２０４において、気化コイルは容器の内側シリンダー内に配置される。
ブロック２０６において、上記気化コイルは相変化物質中に埋め込まれる。
ブロック２０８において、容器の貯蔵領域は上記内側シリンダーに同軸的に内方に規定され、上記相変化物質は上記貯蔵領域と熱的に接続されている。
ブロック２１０において、上記外側シリンダーが上記内側シリンダーの半径方向外側に配置され、上記外側シリンダーの外壁が上記内側シリンダーの外壁の半径方向外側に配置されるように、内側シリンダーは、上記容器の断熱された外側シリンダー内に、固定されて配置される。
上記内側シリンダーおよび上記外側シリンダーは、アニュラスを形成する。
上記手法２００は、ブロック２１２において停止する。
【００９６】
図７Ｂに示すように、いくつかの実施形態では、ブロック２１０において上記内側シリンダーを上記外側シリンダー内に固定して配置するステップは、上記内側シリンダーの内壁を上記外側シリンダーの上記内壁の一部として規定するステップを、ブロック２１４において含んでもよい。
【００９７】
図７Ｃに示すように、いくつかの実施形態では、ブロック２１０において上記内側シリンダーを上記外側シリンダー内に固定して配置するステップは、上記内側シリンダーの内壁を上記外側シリンダーの上記内壁の一部へ固定して取り付けるステップを、ブロック２１６において含んでもよい。
【００９８】
図７Ｄに示すように、いくつかの実施形態では、上記手法２００は、上記容器を密封して覆うステップを、ブロック２１８においてさらに含んでもよい。
【００９９】
図７Ｅに示すように、いくつかの実施形態では、上記手法２００は、上記気化コイル中に冷却材を配置するステップを、ブロック２２０においてさらに含んでもよい。
【０１００】
図７Ｆに示すように、いくつかの実施形態では、上記手法２００は、コンプレッサーを流体連通で上記気化コイルと接続させるステップを、ブロック２２２において、また上記コンプレッサーと蓄電池を電気的に接続させるステップを、ブロック２２４において、さらに含んでもよい。
【０１０１】
図７Ｇに示すように、いくつかの実施形態では、上記手法２００は、温度センサーを提供するステップを、ブロック２２６において、また制御装置を上記温度センサへおよび上記コンプレッサーと制御可能に接続させ、上記制御装置は上記コンプレッサーを上記温度センサーへ応答して制御するように構成されているステップを、ブロック２２８において、さらに含んでもよい。
【０１０２】
図７Ｈに示すように、いくつかの実施形態では、ブロック２２６において温度センサーを提供するステップは、上記温度センサーを上記相変化物質と熱的に接続して配置するステップを、ブロック２３０において含んでもよい。
【０１０３】
図７Ｉに示すように、いくつかの実施形態では、ブロック２２６において温度センサーを提供するステップは、上記温度センサーを上記貯蔵領域と熱的に接続して配置するステップを、ブロック２３２において含んでもよい。
【０１０４】
図７Ｊに示すように、いくつかの実施形態では、上記手法２００は、内部に上記容器、上記コンプレッサー、および上記蓄電池を受け止めるように構成された台枠を提供するステップを、ブロック２３４においてさらに含んでもよい。
【０１０５】
図７Ｋに示すように、いくつかの実施形態では、上記手法２００は、上記台枠へ取付可能かつユーザーが上記台枠を運搬できるように構成された運搬部材を提供するステップを、ブロック２３６においてさらに含んでもよい。
【０１０６】
図８Ａに示すように、コールドチェーン貯蔵のためのポータブルデバイスの製造の別の例示的な手法３００を提供する。上記手法３００は、ブロック３０２において開始する。ブロック３０４において、気化コイルは容器の内側シリンダー内に配置される。ブロック３０６において、上記気化コイルは相変化物質中に埋め込まれる。ブロック３０８において、容器の貯蔵領域は、上記内側シリンダーに同軸的に内方に規定され、上記相変化物質は上記貯蔵領域と熱的に接続されている。ブロック３１０において、上記外側シリンダーの外壁は、上記内側シリンダーの外壁の半径方向外側に配置されるように、上記容器の断熱された外側シリンダーを、上記内側シリンダーから取外し可能に配置される。上記内側シリンダーおよび上記外側シリンダーは、アニュラスを形成する。上記手法３００は、ブロック３１２において停止する。
【０１０７】
図８Ｂに示すように、いくつかの実施形態において、上記手法３００は、上記容器を密封して覆うステップを含んでもよい。
【０１０８】
図８Ｃに示すように、いくつかの実施形態において、上記手法３００は、上記気化コイル中に冷却材を配置するステップを、ブロック３１６においてさらに含んでもよい。
【０１０９】
図８Ｄに示すように、いくつかの実施形態において、上記手法３００は、コンプレッサーを流体連通で上記気化コイルと接続させるステップを、ブロック３１８において、また上記コンプレッサーと蓄電池を電気的に接続させるステップを、ブロック３２０において、さらに含んでもよい。
【０１１０】
図８Ｅに示すように、いくつかの実施形態において、上記手法３００は、温度センサーを提供するステップを、ブロック３２２において、また制御装置を上記温度センサへおよび上記コンプレッサーと制御可能に接続させ、上記制御装置は上記コンプレッサーを上記温度センサーへ応答して制御するように構成されているステップを、ブロック３２４においてさらに含んでもよい。
【０１１１】
図８Ｆに示すように、いくつかの実施形態において、ブロック３２２において温度センサーを提供するステップは、上記温度センサを上記相変化物質と熱的に接続して配置するステップを、ブロック３２６において含んでもよい。
【０１１２】
図８Ｇに示すように、いくつかの実施形態において、ブロック３２２において温度センサーを提供するステップは、上記温度センサを上記貯蔵領域と熱的に接続して配置するステップを、ブロック３２８において含んでもよい。
【０１１３】
図８Ｈに示すように、いくつかの実施形態において、上記手法３００は、内部に上記容器、上記コンプレッサー、および上記蓄電池を受け止めるように構成された台枠を提供するステップを、ブロック３３０においてさらに含んでもよい。
【０１１４】
図８Ｉに示すように、いくつかの実施形態において、上記手法３００は、上記台枠へ取付可能かつユーザーが上記台枠を運搬できるように構成された運搬部材を提供するステップを、ブロック３３２においてさらに含んでもよい。
【０１１５】
前述の詳細な記載では、ブロック図、フローチャート、および／または各例の使用による、上記デバイスおよび／またはプロセスの、様々な実施形態を示した。
そのようなブロック図、フローチャート、および／または各例が１つ以上の機能および／または動作を含む限り、そのようなブロック図、フローチャート、または各例中の各機能および／または動作が、幅広い範囲のハードウェア、ソフトウェア（例えば、ハードウェア仕様として動作する、高レベルなコンピュータプログラム）、ファームウェア、および／または、米国特許法第１０１条（35 U.S.C. 101）の下の特許可能な発明特定事項に限定される、それらの実質的に任意の組合せによって、個々におよび／または集合的に実装され得ることは、当業者によって認められよう。
【０１１６】
実施形態において、本明細書中に記載された発明特定事項の複数の部分は、特定用途向け集積回路（ＡＳＩＣ）、フィールドプログラマブルゲートアレイ（ＦＰＧＡ）、デジタルシグナルプロセッサ（ＤＳＰ）、または他の集積された形式によって実装され得る。しかしながら、当業者は、本明細書中に開示された当該実施形態のいくつかの態様が全体的にまたは部分的に、１つ以上のコンピュータ上で動作する１つ以上のコンピュータプログラムとして（例えば、１つ以上のコンピューターシステム上で動作する１つ以上のプログラムとして）、１つ以上のプロセッサー上で動作する１つ以上のプログラムとして（例えば、１つ以上のマイクロプロセッサー上で動作する１つ以上のプログラムとして）、ファームウェアとして、もしくは米国特許法第１０１条（35 U.S.C. 101）の下の特許可能な発明特定事項に限定される、それらの実質的に任意の組合せとして集積回路において等価的に実装され得ること、ならびに、当該回路および／または当該ソフトウェア（例えば、ハードウェア仕様として動作する、高レベルなコンピュータプログラム）および／またはファームウェアのための当該コードのライティングの設計は、本開示を知った当業者のうち一人の能力の内であろうこと、を認識するであろう。加えて、当業者は、本明細書中に記載された当該発明特定事項の当該メカニズムは、様々な形態のプログラム製品として配信されることが出来、また本明細書中に記載された当該発明特定事項の例示的な実施形態は、上記配信を実際に行うために使用される信号を担う媒体の、特定の型によらず、適用されると認識するであろう。信号を担う媒体の例には下記が含まれ、しかしそれに限定されない。フロッピー（登録商標）ディスク、ハードディスクドライブ、コンパクトディスク（ＣＤ）、デジタルビデオディスク（ＤＶＤ）、デジタルテープ、コンピュータメモリ、等のような記録可能型媒体および、デジタルおよび／またはアナログの通信媒体のような送信型媒体（例えば、光ファイバーケーブル、導波管、有線通信リンク、無線通信リンク（例えば、トランスミッタ、レシーバー、送信ロジック（ｔｒａｎｓｍｉｓｓｉｏｎ  ｌｏｇｉｃ）、受信ロジック（ｒｅｃｅｐｔｉｏｎ  ｌｏｇｉｃ））等）。
【０１１７】
本明細書中での実質的に任意の複数形および／または単数形の用語の使用に関して、当該文脈および／または用法に適切であるように、当業者らは、複数形から単数形へ、および／または単数形から複数形への言い換えが可能である。当該様々な単数形／複数形の入れ替えを、明確性のために明示的に記載することはしない。
【０１１８】
本明細書中に記載された発明特定事項は、内部に含まれる異なるコンポーネントを、または接続された他の異なるコンポーネントを、場合により例示している。
そのような描写されたアーキテクチャーは、殆ど例証的であり、実際には、同じ機能を達成する多くの他のアーキテクチャーが実装され得る、という事が理解されよう。
概念的な意味で、同じ機能を達成するための、コンポーネントの任意の配置は、当該所望の機能が達成されるように有効的に「関連付けられる（ａｓｓｏｃｉａｔｅｄ）」
従って、本明細書中で特定の機能を達成するために組み合わせられた任意の２つのコンポーネントは、アーキテクチャーや中間コンポーネントとは無関係に、当該所望の機能が達成されるように、互いに「関連付けられた」と見なされ得る。そのうえ、そのように関連付けられた任意の２つのコンポーネントは、「制御可能に接続され」、または、当該所望の機能を達成するために互いに「制御可能に接続され」ていると見なされることが出来、また、そのように関連付けられている任意の２つのコンポーネントは、当該所望の機能を達成するために互いに「制御可能に接続可能」であるとも見なされ得る。制御可能に接続可能であることの具体的な例には、物理的に係合可能（ｍａｔｅａｂｌｅ）および／または物理的に相互作用するコンポーネント、および／または無線的に相互作用可能および／または無線的に相互作用するコンポーネント、および／または論理的に相互作用するおよび／または論理的に相互作用可能なコンポーネント、が含まれ、しかしそれに限定されない。
【０１１９】
いくつかの実例において、１つ以上のコンポーネントは、本明細書中で「〜するように構成された」「〜によって構成された」「〜するように構成可能」「制御可能／〜を制御可能（ｏｐｅｒａｂｌｅ／ｏｐｅｒａｔｉｖｅ  ｔｏ）」「〜へ適合した／適合可能」「〜可能である」「〜に適合した／従った」等のように言及され得る。当業者は、そのような用語（例えば「〜するように構成された」）は一般的に、文脈上他の意味が要求されない限り、活性状態のコンポーネントおよび／または非活性状態のコンポーネントおよび／またはスタンバイ状態のコンポーネント、を含包することを認識するであろう。
【０１２０】
本発明特定事項の特定の態様を本明細書に示し記載したが、本明細書に記載の発明特定事項およびそのより広範な態様の範囲内において、変更および修正を加えることが可能であり、したがって、本明細書に記載の発明特定事項の真意および範囲内におけるそのような変更および修正のすべてが、添付の請求項の範囲に包含されることは、本明細書中の開示に基づき、当業者にとって明らかであろう。本明細書、特に、添付の請求項（例えば、添付の請求項の本文）において使用される用語は、一般に、「オープンな」用語を意図している（例えば、「含んでいる（including）」という用語は「含んでいるが、これに限定されない」と解釈されるべきであり、「有する（having）」という用語は「少なくとも有する」と解釈されるべきであり、「含む（includes）」という用語は「含むが、これに限定されない」と解釈されるべきである、など）、ということが当業者によって一般的に理解されよう。導かれた請求項の記載において特定の数字が意図される場合、そのような意図は請求項において明示的に記載され、そのような記載がない場合、そのような意図は存在しない、ということは当業者によってさらに理解されよう。例えば、下記に添付の請求項は、理解の補助として前置きの句である「少なくとも１つの」および「１つ以上」の使用を含んで請求項の記載を導く場合がある。しかしながら、同じ請求項が前置きの句「１つ以上の」または「少なくとも１つの」および不定冠詞「a」または「an」などを含む場合であっても（例えば、「a」および／または「an」は一般的に「少なくとも１つの」または「１つ以上」を意味するものと解釈されるべきである）、そのような句の使用は、不定冠詞「a」または「an」によって導かれた請求項の記載が、導かれた請求項の当該記載を含む特定の請求項を、当該記載を１つだけ含む請求項に限定することを意味するものとして解釈されるべきではない。このことは、請求項の記載を導くのに使用された定冠詞の使用についても同様である。さらに、導かれた請求項の記載において特定の数字が明示的に記載されている場合であっても、当該記載は、少なくとも記載された数字を意味するものとして一般的には解釈されるべきである（例えば、「２つの記載」という他の修飾を伴わないそれだけの記載は、一般的に、少なくとも２つの記載、または２つ以上の記載を意味する）ということを当業者は認識するであろう。さらに、「Ａ、Ｂ、およびＣなどの少なくとも１つ」に似た表記が用いられる場合、一般に、当該構成は、当業者が当該表記を理解するであろう意味を意図している（例えば、「Ａ、Ｂ、およびＣの少なくとも１つを有するシステム」は、Ａのみ、Ｂのみ、Ｃのみ、ＡおよびＢ、ＡおよびＣ、ＢおよびＣ、および／またはＡ、Ｂ、およびＣを有するなどのシステムを含むが、これらに限定されない）。「Ａ、Ｂ、またはＣなどの少なくとも１つ」に似た表記が用いられる場合、一般に、当該構成は、当業者が当該表記を理解するであろう意味を意図している（例えば、「Ａ、Ｂ、またはＣの少なくとも１つを有するシステム」は、Ａのみ、Ｂのみ、Ｃのみ、ＡおよびＢ、ＡおよびＣ、ＢおよびＣ、および／またはＡ、Ｂ、およびＣを有するなどのシステムを含むが、これらに限���されない）。通例、２つ以上の選択的な用語を表す離接語であるおよび／またはという句は、文脈上他の意味に規定される場合を除き、明細書、特許請求の範囲、または図面を問わず、それらの用語のうちの１つ、それらの用語のうちのいずれか、またはそれらの用語の両方を含む可能性を予想するように理解されるべきであることが、当業者によってさらに理解されよう。例えば、「ＡまたはＢ」という句は、一般的に、「Ａ」もしくは「Ｂ」または「ＡおよびＢ」の可能性を含むものとして理解される。
【０１２１】
本明細書に記載の発明特定事項の態様を、以下の番号を振ったクローズにおいて記載する。
【０１２２】
１．コールドチェーン貯蔵のためのポータブルデバイスであって、
内部に貯蔵領域を規定している容器を備え、
上記容器は、内側シリンダー、該内側シリンダーと同軸上の内方に規定された貯蔵領域、および、断熱された外側シリンダーを含み、
上記内側シリンダーは、
内部に配置された相変化物質であって、上記貯蔵領域と熱的に接続されている相変化物質、および、
内部に配置された気化コイルであって、上記相変化物質に埋め込まれている気化コイルを含み、
上記外側シリンダーの外壁は上記内側シリンダーの外壁の半径方向外側に配置されているポータブルデバイス。
【０１２３】
２．上記内側シリンダーおよび上記外側シリンダーは、アニュラスを形成する、クローズ１に記載のデバイス。
【０１２４】
３．上記内側シリンダーは、上記外側シリンダー内に固定されて配置されている、クローズ１に記載のデバイス。
【０１２５】
４．上記内側シリンダーは、上記外側シリンダーの内壁と上記外側シリンダーの外壁との間に規定されている、クローズ３に記載のデバイス。
【０１２６】
５．上記外側シリンダーの上記内壁の一部は、上記内側シリンダーの内壁である、クローズ４に記載のデバイス。
【０１２７】
６．上記内側シリンダーの内壁は、上記外側シリンダーの上記内壁の一部へ固定されて取り付けられている、クローズ４に記載のデバイス。
【０１２８】
７．上記外側シリンダーは、上記内側シリンダーから取外し可能に配置可能である、クローズ１に記載のデバイス。
【０１２９】
８．上記外側シリンダーの内壁は、上記内側シリンダーの上記外壁の半径方向外側に取外し可能に配置されている、クローズ７に記載のデバイス。
【０１３０】
９．上記内側シリンダーの内壁および上記内側シリンダーの上記外壁は、それぞれ、上記外側シリンダーの内壁および上記外側シリンダーの上記外壁と異なる、クローズ７に記載のデバイス。
【０１３１】
１０．上記容器を密封して覆うように構成された蓋をさらに備える、クローズ１に記載のデバイス。
【０１３２】
１１．上記気化コイルは、内部に配置された冷却材を備える、クローズ１に記載のデバイス。
【０１３３】
１２．上記相変化物質は、ＰｕｒｅＴｅｍｐ４、ＰｕｒｅＴｅｍｐ６、Ｐｈａｓｅ５、および水から選択される物質を含む、クローズ１に記載のデバイス。
【０１３４】
１３．上記外側シリンダーは、真空断熱によって断熱されている、クローズ１に記載のデバイス。
【０１３５】
１４．上記気化コイルと流体連通可能なコンプレッサーと、上記コンプレッサーと電気的に接続可能な蓄電池と、をさらに備える、クローズ１に記載のデバイス。
【０１３６】
１５．上記コンプレッサーは、小型化されたコンプレッサーを含む、クローズ１４に記載のデバイス。
【０１３７】
１６．上記蓄電池は、Ｌｉ蓄電池を含む、クローズ１４に記載のデバイス。
【０１３８】
１７．温度センサーと、上記温度センサーへ制御可能に接続可能なおよび上記コンプレッサーと制御可能に接続された制御装置であって、上記コンプレッサーを上記温度センサーに応答して制御するように構成されている制御装置と、をさらに備える、クローズ１４に記載のデバイス。
【０１３９】
１８．上記温度センサーは、熱電対、サーミスタ、測温抵抗体、およびデジタル温度センサーから選択されるセンサーを含む、クローズ１７に記載のデバイス。
【０１４０】
１９．上記温度センサーは、固有の識別コードを備える、クローズ１７に記載のデバイス。
【０１４１】
２０．上記温度センサーは、上記相変化物質と熱的に接続して配置されている、クローズ１７に記載のデバイス。
【０１４２】
２１．上記温度センサーは、上記貯蔵領域と熱的に接続して配置されている、クローズ１７に記載のデバイス。
【０１４３】
２２．上記容器、上記コンプレッサー、および上記蓄電池を内部に受け止めるように構成された台枠をさらに備える、クローズ１４に記載のデバイス。
【０１４４】
２３．上記台枠へ取付可能かつユーザーが上記台枠を運搬できるように構成された運搬部材をさらには備える、クローズ２２に記載のデバイス。 
【０１４５】
２４．上記運搬部材は、ストラップおよびハンドルから選択される部材を含む、クローズ２３に記載のデバイス。
【０１４６】
２５．上記相変化物質は、上記貯蔵領域の温度を２４時間の間０℃から１０℃の間の範囲に維持するように選択される、クローズ１に記載のデバイス。
【０１４７】
２６．上記相変化物質は、上記貯蔵領域の温度を２４時間の間２℃から８℃の間の範囲に維持するように選択される、クローズ２５に記載のデバイス。
【０１４８】
２７．上記相変化物質は、上記貯蔵領域の温度を２４時間の間４℃から６℃の間の範囲に維持するように選択される、クローズ２６に記載のデバイス。
【０１４９】
２８．コールドチェーン貯蔵のためのポータブルデバイスであって、
内部に貯蔵領域を規定している容器を備え、
上記容器は、内側シリンダー、該内側シリンダーと同軸上の内方に規定された貯蔵領域、および、断熱された外側シリンダーを含み、
上記内側シリンダーは、
内部に配置された相変化物質であって、上記貯蔵領域と熱的に接続されている相変化物質、および、
内部に配置された気化コイルであって、上記相変化物質に埋め込まれている気化コイルを含み、
上記外側シリンダーの外壁は上記内側シリンダーの外壁の半径方向外側に配置されており、
上記内側シリンダーは上記外側シリンダー内に固定されて配置され、上記内側シリンダーおよび上記外側シリンダーはアニュラスを形成している、ポータブルデバイス。
【０１５０】
２９．上記内側シリンダーは、上記外側シリンダーの内壁と上記外側シリンダーの外壁との間に規定されている、クローズ２８に記載のデバイス。
【０１５１】
３０．上記外側シリンダーの上記内壁の一部は、上記内側シリンダーの内壁である、クローズ２９に記載のデバイス。
【０１５２】
３１．上記内側シリンダーの内壁は、上記外側シリンダーの上記内壁の一部へ固定されて取り付けられている、クローズ２９に記載のデバイス。
【０１５３】
３２．上記容器を密封して覆うように構成された蓋をさらに備える、クローズ２８に記載のデバイス。
【０１５４】
３３．上記気化コイルは、内部に配置された冷却材を備える、クローズ２８に記載のデバイス。 
【０１５５】
３４．上記相変化物質は、ＰｕｒｅＴｅｍｐ４、ＰｕｒｅＴｅｍｐ６、Ｐｈａｓｅ５、および水から選択される物質を含む、クローズ２８に記載のデバイス。
【０１５６】
３５．上記外側シリンダーは、真空断熱によって断熱されている、クローズ２８に記載のデバイス。
【０１５７】
３６．上記気化コイルと流体連通可能なコンプレッサーと、上記コンプレッサーと電気的に接続可能な蓄電池と、をさらに備える、クローズ２８に記載のデバイス。
【０１５８】
３７．上記コンプレッサーは、小型化されたコンプレッサーを含む、クローズ３６に記載のデバイス。
【０１５９】
３８．上記蓄電池は、Ｌｉ蓄電池を含む、クローズ３６に記載のデバイス。
【０１６０】
３９．温度センサーと、上記温度センサーへ制御可能に接続可能なおよび上記コンプレッサーと制御可能に接続された制御装置であって、上記コンプレッサーを上記温度センサーに応答して制御するように構成されている制御装置と、をさらに備える、クローズ３６に記載のデバイス。
【０１６１】
４０．上記温度センサーは、熱電対、サーミスタ、測温抵抗体、およびデジタル温度センサーから選択されるセンサーを含む、クローズ３９に記載のデバイス。
【０１６２】
４１．上記温度センサーは、固有の識別コードを備える、クローズ３９に記載のデバイス。
【０１６３】
４２．上記温度センサーは、上記相変化物質と熱的に接続して配置されている、クローズ３６に記載のデバイス。
【０１６４】
４３．上記温度センサーは、上記貯蔵領域と熱的に接続して配置されている、クローズ３９に記載のデバイス。
【０１６５】
４４．上記容器、上記コンプレッサー、および上記蓄電池を内部に受け止めるように構成された台枠をさらに備える、クローズ４４に記載のデバイス。
【０１６６】
４５．上記台枠へ取付可能かつユーザーが上記台枠を運搬できるように構成された運搬部材をさらには備える、クローズ２２に記載のデバイス。
【０１６７】
４６．上記運搬部材は、ストラップおよびハンドルから選択される部材を含む、クローズ４５に記載のデバイス。
【０１６８】
４７．上記相変化物質は、上記貯蔵領域の温度を２４時間の間０℃から１０℃の間の範囲に維持するように選択される、クローズ２８に記載のデバイス。 
【０１６９】
４８．上記相変化物質は、上記貯蔵領域の温度を２４時間の間２℃から８℃の間の範囲に維持するように選択される、クローズ４７に記載のデバイス。
【０１７０】
４９．上記相変化物質は、上記貯蔵領域の温度を２４時間の間４℃から６℃の間の範囲に維持するように選択される、クローズ４８に記載のデバイス。
【０１７１】
５０．コールドチェーン貯蔵のためのポータブルデバイスであって、
内部に貯蔵領域を規定している容器を備え、
上記容器は、内側シリンダー、該内側シリンダーと同軸上の内方に規定された貯蔵領域、および、断熱された外側シリンダーを含み、
上記内側シリンダーは、
内部に配置された相変化物質であって、上記貯蔵領域と熱的に接続されている相変化物質、および、
内部に配置された気化コイルであって、上記相変化物質に埋め込まれている気化コイルを含み、
上記外側シリンダーの外壁は上記内側シリンダーの外壁の半径方向外側に配置されており、
上記外側シリンダーは上記内側シリンダーから取外し可能に配置可能であり、上記内側シリンダーおよび上記外側シリンダーはアニュラスを形成している、ポータブルデバイス。
【０１７２】
５１．上記外側シリンダーの内壁は、上記内側シリンダーの上記外壁の半径方向外側に取外し可能に配置されている、クローズ７に記載のデバイス。
【０１７３】
５２．上記内側シリンダーの内壁および上記内側シリンダーの上記外壁は、それぞれ、上記外側シリンダーの内壁および上記外側シリンダーの上記外壁と異なる、クローズ５０に記載のデバイス。
【０１７４】
５３．上記外側シリンダーは、上記貯蔵領域を密封して覆うように構成されている、クローズ５０に記載のデバイス。
【０１７５】
５４．上記気化コイルは、内部に配置された冷却材を備える、クローズ５０に記載のデバイス。
【０１７６】
５５．上記相変化物質は、ＰｕｒｅＴｅｍｐ４、ＰｕｒｅＴｅｍｐ６、Ｐｈａｓｅ５、および水から選択される物質を含む、クローズ５０に記載のデバイス。
【０１７７】
５６．上記外側シリンダーは、真空断熱によって断熱されている、クローズ５０に記載のデバイス。
【０１７８】
５７．上記気化コイルと流体連通可能なコンプレッサーと、上記コンプレッサーと電気的に接続可能な蓄電池と、をさらに備える、クローズ５０に記載のデバイス。
【０１７９】
５８．上記コンプレッサーは、小型化されたコンプレッサーを含む、クローズ５７に記載のデバイス。
【０１８０】
５９．上記蓄電池は、Ｌｉ蓄電池を含む、クローズ５７に記載のデバイス。
【０１８１】
６０．温度センサーと、上記温度センサーへ制御可能に接続可能なおよび上記コンプレッサーと制御可能に接続された制御装置であって、上記コンプレッサーを上記温度センサーに応答して制御するように構成されている制御装置と、をさらに備える、クローズ５７に記載のデバイス。
【０１８２】
６１．上記温度センサーは、熱電対、サーミスタ、測温抵抗体、およびデジタル温度センサーから選択されるセンサーを含む、クローズ６０に記載のデバイス。
【０１８３】
６２．上記温度センサーは、固有の識別コードを備える、クローズ６０に記載のデバイス。
【０１８４】
６３．上記温度センサーは、上記相変化物質と熱的に接続して配置されている、クローズ６０に記載のデバイス。
【０１８５】
６４．上記温度センサーは、上記貯蔵領域と熱的に接続して配置されている、クローズ６０に記載のデバイス。
【０１８６】
６５．上記容器、上記コンプレッサー、および上記蓄電池を内部に受け止めるように構成された台枠をさらに備える、クローズ５７に記載のデバイス。
【０１８７】
６６．上記台枠へ取付可能かつユーザーが上記台枠を運搬できるように構成された運搬部材をさらには備える、クローズ６５に記載のデバイス。
【０１８８】
６７．上記運搬部材は、ストラップおよびハンドルから選択される部材を含む、クローズ６６に記載のデバイス。
【０１８９】
６８．上記相変化物質は、上記貯蔵領域の温度を２４時間の間０℃から１０℃の間の範囲に維持するように選択される、クローズ５０に記載のデバイス。
【０１９０】
６９．上記相変化物質は、上記貯蔵領域の温度を２４時間の間２℃から８℃の間の範囲に維持するように選択される、クローズ６８に記載のデバイス。
【０１９１】
７０．上記相変化物質は、上記貯蔵領域の温度を２４時間の間４℃から６℃の間の範囲に維持するように選択される、クローズ６９に記載のデバイス。 
【０１９２】
７１．
気化コイルを容器の内側シリンダー内に配置するステップと、
上記気化コイルを相変化物質中に埋め込むステップと、
容器の貯蔵領域を上記内側シリンダーに同軸的に内方に規定するステップであって、上記相変化物質は上記貯蔵領域と熱的に接続されているステップと、
上記外側シリンダーの外壁が上記内側シリンダーの外壁に半径方向外側に配置されるように、上記容器の断熱された外側シリンダーを、上記内側シリンダーの半径方向外側に配置するステップと、
を含む、コールドチェーン貯蔵のためのポータブルデバイスの製造方法。
【０１９３】
７２．上記内側シリンダーおよび上記外側シリンダーを用いたアニュラスの形成ステップをさらに含む、クローズ７１に記載の方法。
【０１９４】
７３．上記内側シリンダーを上記外側シリンダーの中に規定するステップをさらに含む、クローズ７１に記載の方法。
【０１９５】
７４．上記内側シリンダーを上記外側シリンダーの中に規定するステップは、上記内側シリンダーを上記外側シリンダーの内壁と上記外側シリンダーの上記外壁との間に規定するステップを含む、クローズ７３に記載の方法。
【０１９６】
７５．上記内側シリンダーを上記外側シリンダーの内壁と上記外側シリンダーの上記外壁との間に規定するステップは、上記内側シリンダーの内壁を上記外側シリンダーの上記内壁の一部として規定するステップを含む、クローズ７４に記載の方法。 
【０１９７】
７６．上記内側シリンダーを上記外側シリンダーの内壁と上記外側シリンダーの上記外壁との間に規定するステップは、上記内側シリンダーの内壁を上記外側シリンダーの上記内壁の一部へ固定して取り付けるステップを含む、クローズ７４に記載の方法。
【０１９８】
７７．上記外側シリンダーを、上記内側シリンダーから取外し可能に配置するステップをさらに含む、クローズ７１に記載の方法。
【０１９９】
７８．上記容器を密封して覆う工程をさらに含む、クローズ７１に記載の方法。
【０２００】
７９．上記気化コイル中に冷却材を配置するステップをさらに含む、クローズ７１に記載の方法。
【０２０１】
８０．上記外側シリンダーは真空断熱によって断熱されている、クローズ７１に記載の方法。
【０２０２】
８１．コンプレッサーを流体連通で上記気化コイルと接続させるステップと、上記コンプレッサーと蓄電池を電気的に接続させるステップと、をさらに含む、クローズ７１に記載の方法。
【０２０３】
８２．温度センサーを提供するステップと、制御装置を上記温度センサへおよび上記コンプレッサーと制御可能に接続させるステップであって、上記制御装置は上記コンプレッサーを上記温度センサーへ応答して制御するように構成されているステップと、をさらに含む、クローズ８１に記載の方法。
【０２０４】
８３．温度センサーを提供するステップは、上記温度センサを上記相変化物質と熱的に接続して配置するステップを含む、クローズ８２に記載の方法。
【０２０５】
８４．温度センサーを提供するステップは、上記温度センサを上記貯蔵領域と熱的に接続して配置するステップを含む、クローズ８２に記載の方法。
【０２０６】
８５．内部に上記容器、上記コンプレッサー、および上記蓄電池を受け止めるように構成された台枠を提供するステップをさらに含む、クローズ８１に記載の方法。
【０２０７】
８６．上記台枠へ取付可能かつユーザーが上記台枠を運搬できるように構成された運搬部材を提供するステップをさらに備える、クローズ８５に記載の方法。
【０２０８】
８７．気化コイルを容器の内側シリンダー内に配置するステップと、上記気化コイルを相変化物質中に埋め込むステップと、容器の貯蔵領域を上記内側シリンダーに同軸的に内方に規定するステップであって、上記相変化物質は上記貯蔵領域と熱的に接続されているステップと、内側シリンダーを、上記容器の断熱された外側シリンダー内に、上記外側シリンダーが上記内側シリンダーの半径方向外側に配置され、上記外側シリンダーの外壁が上記内側シリンダーの外壁の半径方向外側に配置されるように固定して配置するステップであって、上記内側シリンダーおよび上記外側シリンダーはアニュラスを形成しているステップと、を含む、コールドチェーン貯蔵のためのポータブルデバイスの製造方法。
【０２０９】
８８．上記内側シリンダーを上記外側シリンダーの中に固定して配置するステップは、上記内側シリンダーの内壁を上記外側シリンダーの上記内壁の一部として規定するステップを含む、クローズ８７に記載の方法。
【０２１０】
８９．上記内側シリンダーを上記外側シリンダーの中に固定して配置するステップは、上記内側シリンダーの内壁を上記外側シリンダーの上記内壁の一部へ固定して取り付けるステップを含む、クローズ８７に記載の方法。
【０２１１】
９０．上記容器を密封して覆う工程をさらに含む、クローズ８７に記載の方法。
【０２１２】
９１．上記気化コイル中に冷却材を配置するステップをさらに含む、クローズ８７に記載の方法。
【０２１３】
９２．上記外側シリンダーは真空断熱によって断熱されている、クローズ８７に記載の方法。
【０２１４】
９３．コンプレッサーを流体連通で上記気化コイルと接続させるステップと、上記コンプレッサーと蓄電池を電気的に接続させるステップと、をさらに含む、クローズ８７に記載の方法。
【０２１５】
９４．温度センサーを提供するステップと、制御装置を上記温度センサへおよび上記コンプレッサーと制御可能に接続させるステップであって、上記制御装置は上記コンプレッサーを上記温度センサーへ応答して制御するように構成されているステップと、をさらに含む、クローズ９３に記載の方法。
【０２１６】
９５．温度センサーを提供するステップは、上記温度センサを上記相変化物質と熱的に接続して配置するステップを含む、クローズ９４に記載の方法。
【０２１７】
９６．温度センサーを提供するステップは、上記温度センサを上記貯蔵領域と熱的に接続して配置するステップを含む、クローズ９４に記載の方法。
【０２１８】
９７．内部に上記容器、上記コンプレッサー、および上記蓄電池を受け止めるように構成された台枠を提供するステップをさらに含む、クローズ９３に記載の方法。
【０２１９】
９８．上記台枠へ取付可能かつユーザーが上記台枠を運搬できるように構成された運搬部材を提供するステップをさらに備える、クローズ９７に記載の方法。
【０２２０】
９９．コールドチェーン貯蔵のためのポータブルデバイスを製造する方法であって、
気化コイルを容器の内側シリンダー内に配置するステップと、
上記気化コイルを相変化物質内に埋め込むステップと、
容器の貯蔵領域を上記内側シリンダーと同軸上の内方に規定するステップであって、上記相変化物質は上記貯蔵領域と熱的に接続されているステップと、
上記容器の断熱された外側シリンダーの外壁が上記内側シリンダーの外壁の半径方向外側に配置されるように、上記外側シリンダーを上記内側シリンダーから取外し可能に配置するステップであって、上記内側シリンダーおよび上記外側シリンダーはアニュラスを形成しているステップと、
を含む製造方法。
【０２２１】
１００．上記容器を密封して覆う工程をさらに含む、クローズ９９に記載の方法。
【０２２２】
１０１．上記気化コイル中に冷却材を配置するステップをさらに含む、クローズ９９に記載の方法。
【０２２３】
１０２．上記外側シリンダーは真空断熱によって断熱されている、クローズ９９に記載の方法。
【０２２４】
１０３．コンプレッサーを流体連通で上記気化コイルと接続させるステップと、上記コンプレッサーと蓄電池を電気的に接続させるステップと、をさらに含む、クローズ９９に記載の方法。
【０２２５】
１０４．温度センサーを提供するステップと、制御装置を上記温度センサへおよび上記コンプレッサーと制御可能に接続させるステップであって、上記制御装置は上記コンプレッサーを上記温度センサーへ応答して制御するように構成されているステップと、をさらに含む、クローズ１０３に記載の方法。
【０２２６】
１０５．温度センサーを提供するステップは、上記温度センサを上記相変化物質と熱的に接続して配置するステップを含む、クローズ１０４に記載の方法。
【０２２７】
１０６．温度センサーを提供するステップは、上記温度センサを上記貯蔵領域と熱的に接続して配置するステップを含む、クローズ１０４に記載の方法。
【０２２８】
１０７．内部に上記容器、上記コンプレッサー、および上記蓄電池を受け止めるように構成された台枠を提供するステップをさらに含む、クローズ１０３に記載の方法。
【０２２９】
１０８．上記台枠へ取付可能かつユーザーが上記台枠を運搬できるように構成された運搬部材を提供するステップをさらに備える、クローズ１０７に記載の方法。
【０２３０】
１０９．コールドチェーン貯蔵のためのポータブルデバイスであって、
内部に貯蔵領域を規定している容器を備え、
上記容器は、内側シリンダー、該内側シリンダーと同軸上の内方に規定された貯蔵領域、および、断熱された外側シリンダーを含み、
上記内側シリンダーは、
内部に配置された相変化物質であって、上記貯蔵領域と熱的に接続されている相変化物質、および、
内部に配置された気化コイルであって、上記相変化物質に埋め込まれている気化コイルを含み、
上記外側シリンダーの外壁は上記内側シリンダーの外壁の半径方向外側に配置されており、
さらに、
上記気化コイルと流体連通可能なコンプレッサーと、
上記コンプレッサーと電気的に接続可能な蓄電池と、
上記容器を密封してに覆うように構成された蓋と、を備えるポータブルデバイス。
【０２３１】
１１０．上記内側シリンダーおよび上記外側シリンダーは、アニュラスを形成する、クローズ１０９に記載の。
【０２３２】
１１１．上記内側シリンダーは、上記外側シリンダー内に固定されて配置されている、クローズ１０９に記載のデバイス。
【０２３３】
１１２．上記内側シリンダーは、上記外側シリンダーの内壁と上記外側シリンダーの外壁との間に規定されている、クローズ１１１に記載のデバイス。
【０２３４】
１１３．上記外側シリンダーの上記内壁の一部は、上記内側シリンダーの内壁である、クローズ１１２に記載のデバイス。
【０２３５】
１１４．上記内側シリンダーの内壁は、上記外側シリンダーの上記内壁の一部へ固定されて取り付けられている、クローズ１１２に記載のデバイス。
【０２３６】
１１５．上記外側シリンダーは、上記内側シリンダーから取外し可能に配置可能である、クローズ１０９に記載のデバイス。
【０２３７】
１１６．上記外側シリンダーの内壁は、上記内側シリンダーの上記外壁の半径方向外側に取外し可能に配置されている、クローズ１１５に記載のデバイス。
【０２３８】
１１７．上記内側シリンダーの内壁および上記内側シリンダーの上記外壁は、それぞれ、上記外側シリンダーの内壁および上記外側シリンダーの上記外壁と異なる、クローズ１１５に記載のデバイス。
【０２３９】
１１８．上記気化コイルは、内部に配置された冷却材を備える、クローズ１０９に記載のデバイス。
【０２４０】
１１９．上記相変化物質は、ＰｕｒｅＴｅｍｐ４、ＰｕｒｅＴｅｍｐ６、Ｐｈａｓｅ５、および水から選択される物質を含む、クローズ１０９に記載のデバイス。
【０２４１】
１２０．上記外側シリンダーは、真空断熱によって断熱されている、クローズ１０９に記載のデバイス。
【０２４２】
１２１．上記コンプレッサーは、小型化コンプレッサーを含む、クローズ１０９に記載のデバイス。
【０２４３】
１２２．上記蓄電池は、Ｌｉ蓄電池を含む、クローズ１０９に記載のデバイス。
【０２４４】
１２３．温度センサーと、上記温度センサーへ制御可能に接続可能なおよび上記コンプレッサーと制御可能に接続された制御装置であって、上記コンプレッサーを上記温度センサーに応答して制御するように構成されている制御装置と、をさらに備える、クローズ１０９に記載のデバイス。
【０２４５】
１２４．上記温度センサーは、熱電対、サーミスタ、測温抵抗体、およびデジタル温度センサーから選択されるセンサーを含む、クローズ１２３に記載のデバイス。
【０２４６】
１２５．上記温度センサーは、固有の識別コードを備える、クローズ１２３に記載のデバイス。
【０２４７】
１２６．上記温度センサーは、上記相変化物質と熱的に接続して配置されている、クローズ１２３に記載のデバイス。
【０２４８】
１２７．上記温度センサーは、上記貯蔵領域と熱的に接続して配置されている、クローズ１２３に記載のデバイス。
【０２４９】
１２８．上記容器、上記コンプレッサー、および上記蓄電池を内部に受け止めるように構成された台枠をさらに備える、クローズ１０９に記載のデバイス。
【０２５０】
１２９．上記台枠へ取付可能かつユーザーが上記台枠を運搬できるように構成された運搬部材をさらには備える、クローズ１２８に記載のデバイス。
【０２５１】
１３０．上記運搬部材は、ストラップおよびハンドルから選択される部材を含む、クローズ１２９に記載のデバイス。
【０２５２】
１３１．上記相変化物質は、上記貯蔵領域の温度を２４時間の間０℃から１０℃の間の範囲に維持するように選択される、クローズ１０９に記載のデバイス。
【０２５３】
１３２．上記相変化物質は、上記貯蔵領域の温度を２４時間の間２℃から８℃の間の範囲に維持するように選択される、クローズ１３１に記載のデバイス。
【０２５４】
１３３．上記相変化物質は、上記貯蔵領域の温度を２４時間の間４℃から６℃の間の範囲に維持するように選択される、クローズ１３２に記載のデバイス。
【０２５５】
添付のクレームに関し、当業者はその中に記載された動作は一般的にどのような順序でも実行されてよいと認めるであろう。
【０２５６】
また、様々な動作フローはシーケンスで提示されているが、当該様々な動作は図示された順序とは別の順序で実行されてもよく、または同時に実行されてもよいと理解されるべきである。
【０２５７】
そのような代替の順序は、文脈上他の意味に規定される場合を除き、重複、インターリーブ、介入、再配列、一定数量の増加（ｉｎｃｒｅｍｅｎｔａｌ）、準備、補足、同時存在、逆転、または他の変形順序を含んでもよい。
【０２５８】
さらに、「反応的」「関する」のような用語または他の過去形の形容詞は、文脈上他の意味に規定されない限り、一般的にそのような変形例を排除しない。
【０２５９】
様々な態様および実施形態を本明細書に記載したが、他の態様および実施形態も当業者にとって明らかであろう。本明細書に記載の上記様々な態様および実施形態は説明のためのものに過ぎず、限定を意図するものではない。真の範囲および思想は以下の特許請求の範囲に示す。
【図面の簡単な説明】
【０２６０】
【図１】図１は、例示的なコールドチェーン貯蔵のためのポータブルデバイスの部分的な切取斜視図である。
【図２】図２は、例示的なコールドチェーン貯蔵のためのポータブルデバイスの構成要素の詳細の部分的な切取側面図である。
【図３】図３は、例示的なコールドチェーン貯蔵のためのポータブルデバイスの斜視図である。
【図４】図４は、コールドチェーン貯蔵のための別の例示的なポータブルデバイスの斜視図である。
【図５Ａ】図５Ａは、例示的なコールドチェーン貯蔵のためのポータブルデバイスの詳細の部分的な概略図かつ部分的な切取側面図である。
【図５Ｂ】図５Ｂは、例示的なコールドチェーン貯蔵のためのポータブルデバイスの別の詳細の、部分的な概略図における側面図である。
【図６Ａ】図６Ａは、コールドチェーン貯蔵のためのポータブルデバイスの例示的な製造方法のブロック図である。
【図６Ｂ】図６Ｂは、図６Ａの上記方法の詳細のブロック図である。
【図６Ｃ】図６Ｃは、図６Ａの上記方法の詳細のブロック図である。
【図６Ｄ】図６Ｄは、図６Ａの上記方法の詳細のブロック図である。
【図６Ｅ】図６Ｅは、図６Ａの上記方法の詳細のブロック図である。
【図６Ｆ】図６Ｆは、図６Ａの上記方法の詳細のブロック図である。
【図６Ｇ】図６Ｇは、図６Ａの上記方法の詳細のブロック図である。
【図６Ｈ】図６Ｈは、図６Ａの上記方法の詳細のブロック図である。
【図６Ｉ】図６Ｉは、図６Ａの上記方法の詳細のブロック図である。
【図６Ｊ】図６Ｊは、図６Ａの上記方法の詳細のブロック図である。
【図６Ｋ】図６Ｋは、図６Ａの上記方法の詳細のブロック図である。
【図６Ｌ】図６Ｌは、図６Ａの上記方法の詳細のブロック図である。
【図６Ｍ】図６Ｍは、図６Ａの上記方法の詳細のブロック図である。
【図６Ｎ】図６Ｎは、図６Ａの上記方法の詳細のブロック図である。
【図６Ｏ】図６Ｏは、図６Ａの上記方法の詳細のブロック図である。
【図７Ａ】図７Ａは、コールドチェーン貯蔵のためのポータブルデバイスの別の例示的な製造方法のブロック図である。
【図７Ｂ】図７Ｂは、図７Ａの上記方法の詳細のブロック図である。
【図７Ｃ】図７Ｃは、図７Ａの上記方法の詳細のブロック図である。
【図７Ｄ】図７Ｄは、図７Ａの上記方法の詳細のブロック図である。
【図７Ｅ】図７Ｅは、図７Ａの上記方法の詳細のブロック図である。
【図７Ｆ】図７Ｆは、図７Ａの上記方法の詳細のブロック図である。
【図７Ｇ】図７Ｇは、図７Ａの上記方法の詳細のブロック図である。
【図７Ｈ】図７Ｈは、図７Ａの上記方法の詳細のブロック図である。
【図７Ｉ】図７Ｉは、図７Ａの上記方法の詳細のブロック図である。
【図７Ｊ】図７Ｊは、図７Ａの上記方法の詳細のブロック図である。
【図７Ｋ】図７Ｋは、図７Ａの上記方法の詳細のブロック図である。
【図８Ａ】図８Ａは、コールドチェーン貯蔵のためのポータブルデバイスの別の例示的な製造方法のブロック図である。
【図８Ｂ】図８Ｂは、図８Ａの上記方法の詳細のブロック図である。
【図８Ｃ】図８Ｃは、図８Ａの上記方法の詳細のブロック図である。
【図８Ｄ】図８Ｄは、図８Ａの上記方法の詳細のブロック図である。
【図８Ｅ】図８Ｅは、図８Ａの上記方法の詳細のブロック図である。
【図８Ｆ】図８Ｆは、図８Ａの上記方法の詳細のブロック図である。
【図８Ｇ】図８Ｇは、図８Ａの上記方法の詳細のブロック図である。
【図８Ｈ】図８Ｈは、図８Ａの上記方法の詳細のブロック図である。
【図８Ｉ】図８Ｉは、図８Ａの上記方法の詳細のブロック図である。
【図１】
2019516944.tif 000003
【図２】
2019516944.tif 000004
【図３】
2019516944.tif 000005
【図４】
2019516944.tif 000006
【図５Ａ】
2019516944.tif 000007
【図５Ｂ】
2019516944.tif 000008
【図６Ａ】
2019516944.tif 000009
【図６Ｂ】
2019516944.tif 000010
【図６Ｃ】
2019516944.tif 000011
【図６Ｄ】
2019516944.tif 000012
【図６Ｅ】
2019516944.tif 000013
【図６Ｆ】
2019516944.tif 000014
【図６Ｇ】
2019516944.tif 000015
【図６Ｈ】
2019516944.tif 000016
【図６Ｉ】
2019516944.tif 000017
【図６Ｊ】
2019516944.tif 000018
【図６Ｋ】
2019516944.tif 000019
【図６Ｌ】
2019516944.tif 000020
【図６Ｍ】
2019516944.tif 000021
【図６Ｎ】
2019516944.tif 000022
【図６Ｏ】
2019516944.tif 000023
【図７Ａ】
2019516944.tif 000024
【図７Ｂ】
2019516944.tif 000025
【図７Ｃ】
2019516944.tif 000026
【図７Ｄ】
2019516944.tif 000027
【図７Ｅ】
2019516944.tif 000028
【図７Ｆ】
2019516944.tif 000029
【図７Ｇ】
2019516944.tif 000030
【図７Ｈ】
2019516944.tif 000031
【図７Ｉ】
2019516944.tif 000032
【図７Ｊ】
2019516944.tif 000033
【図７Ｋ】
2019516944.tif 000034
【図８Ａ】
2019516944.tif 000035
【図８Ｂ】
2019516944.tif 000036
【図８Ｃ】
2019516944.tif 000037
【図８Ｄ】
2019516944.tif 000038
【図８Ｅ】
2019516944.tif 000039
【図８Ｆ】
2019516944.tif 000040
【図８Ｇ】
2019516944.tif 000041
【図８Ｈ】
2019516944.tif 000042
【図８Ｉ】
2019516944.tif 000043
【国際調査報告】
2019516944.tif 000044
2019516944.tif 000045